(57)【要約】      （修正有）【課題】商品である中身を取り出した後もポップアップ機能による装飾部分を有し且つティッシュボックスカバーとして利用できる収納箱を提供する。【解決手段】市販のティッシュボックス３が収納できる寸法の収納箱１において、予め、切れ目と支辺とで囲んだポップアップ面４を形成しておく。そして、ポップアップ面の内、収納箱の底面には、ティッシュボックスカバーとして使用出来るよう、ティッシュボックスのティッシュペーパー取り出し口が重なるようにポップアップ面を配置する。また、切れ目は、商品である中身を取り出してポップアップするまでは、切れ目の一部が他の面と繋がるよう、繋ぎ目を設けておく。そして、繋ぎ目が切れて、商品である中身が、ポップアップ面からこぼれ落ちないよう繋ぎ目の数を増やすことで調整する。更に、前記折曲げ式のふた面が切り離せるよう、ふた面と、ふた面が付いている側面とが交わってできる線状部分にミシン目を設ける。【選択図】図５
0003161284.tif 000002
【実用新案登録請求の範囲】
【請求項１】
内容物を出し入れする為の開口部を覆うふた部が、分離式又は折曲げ式のいずれかの構造で、且つ全体形状が正方形乃至長方形になる６面体の紙製の収納箱において、
前記６面体の内、少なくとも１面には、
切れ目と支辺とで囲まれ、前記切れ目線上に繋ぎ目が１ヶ所以上設けられたポップアップ面が成形されており、
更に、前記収納箱は、内容物を取り出した後、ティッシュボックスを収納することで、ティッシュボックスカバーとして使用できるよう、前記収納箱に設けられたポップアップ面の１つが、ティッシュペーパー取り出し口と重なるよう配置されていることを特徴とする収納箱。
【請求項２】
前記ティッシュペーパー取り出し口と重なるよう配置されているポップアップ面は、収納箱の底面に設けられていることを特徴とする請求項１に記載の収納箱。
【請求項３】
前記折曲げ式のふた部が切り離せるよう、ふた部と、ふた部が付いている側面とが交わってできる線状部分にミシン目が設けられていることを特徴とする請求項１乃至請求項２に記載の収納箱。
【考案の詳細な説明】
【技術分野】
【０００１】
本考案は、ポップアップ機能を備えた収納箱に関するものである。
【背景技術】
【０００２】
従来のお土産用、お菓子やギフト等の包装用として用いられる紙製の収納箱は、商品である中身を取り出した後は、捨てられることが多く、使用されるとしても、アクセサリーや雑貨等の小物入れとして使用される程度であった。
また、中身を取り出した後の収納箱を利用して玩具になるものや展示物として使用できる考案が開示されているが、実用的なものではなかった。
【特許文献１】実願２００８−２４５７号公報
【特許文献２】特開平８−１４３０２８号公報
【考案の開示】
【考案が解決しようとする課題】
【０００３】
よって、入れ物としての用途以外に利用価値は低いため、中身以外に付加価値を付ける事で購買意欲を上げ、すぐに捨てられることなく２次的利用されることでエコロジーに繋がるような工夫が収納箱に望まれていた。
そして、特にお菓子やギフト等の収納箱の大きさや形状に決まりは無く、また、入れる中身の個数も自由であることから、逆に何か別商品の寸法と共通な部分があれば、汎用性が広がり、更に、収納箱の通常目立たない底面をひっくり返して使用できれば、これまでに無い商品を提供できる可能性があることに着目した。
【０００４】
本考案は、上記の問題点に斯かる実情に鑑みなされたもので、商品である中身を取り出した後もポップアップ機能による装飾部分を有し且つティッシュボックスカバーとして利用できる収納箱を提供することを課題とする。
【課題を解決するための手段】
【０００５】
請求項１に記載の考案は、内容物を出し入れする為の開口部を覆うふた部が、分離式又は折曲げ式のいずれかの構造で、且つ全体形状が正方形乃至長方形になる６面体の紙製の収納箱において、前記６面体の内、少なくとも１面には、切れ目と支辺とで囲まれ、前記切れ目線上に繋ぎ目が１ヶ所以上設けられたポップアップ面が成形されており、更に、前記収納箱は、内容物を取り出した後、ティッシュボックスを収納することで、ティッシュボックスカバーとして使用できるよう、前記収納箱に設けられたポップアップ面の１つが、ティッシュペーパー取り出し口と重なるよう配置されていることを特徴とする。
【０００６】
請求項２に記載の考案は、前記ティッシュペーパー取り出し口と重なるよう配置されているポップアップ面は、収納箱の底面に設けられていることを特徴とする。
【０００７】
請求項３に記載の考案は、前記折曲げ式のふた部が切り離せるよう、ふた部と、ふた部が付いている側面とが交わってできる線状部分にミシン目が設けられていることを特徴とする。
【考案の効果】
【０００８】
本考案によれば、通常は、商品である中身を収納して包装用収納箱として使用でき、中身を取り出した後は、特に収納箱の底面を利用することにより、ティッシュボックスを収納して、ティッシュボックスカバーとして利用できる。
【０００９】
そして、箱をティッシュボックスカバーに兼用することで、新たなコストをかけずに製造することができる。
【００１０】
また、ミシン目に沿ってふた部を切り離すことによって、ティッシュボックスの高さに関係なくティッシュカバーとして利用できる。
【考案を実施するための最良の形態】
【００１１】
市販のティッシュボックスが収納できる寸法の収納箱において、予め、切れ目と支辺とで囲んだポップアップ面を形成しておく。
そして、ポップアップ面の内、収納箱の底面には、ティッシュボックスカバーとして使用出来るよう、ティッシュボックスのティッシュペーパー取り出し口が重なるようにポップアップ面を配置する。
また、切れ目は、商品である中身を取り出してポップアップするまでは、切れ目の一部が他の面と繋がるよう、繋ぎ目を設けておく。そして、繋ぎ目が切れて、商品である中身が、ポップアップ面からこぼれ落ちないよう繋ぎ目の数を増やすことで調整する。
更に、前記折曲げ式のふた部が切り離せるよう、ふた部と、ふた部が付いている側面とが交わってできる線状部分にミシン目を設ける。
【００１２】
このとき、市販のティッシュボックスには、そのティッシュペーパー取り出し口を有する天面が長方形タイプのものと、正方形タイプのものとある。そして、各社、巾と長さの寸法はほぼ同じ寸法であるが、高さについては、ばらつきがある。よって、それぞれのタイプの巾と長さと高さの寸法より若干大きめの収納箱にしておくことが望ましい。
【００１３】
本考案において、「ポップアップ」とは、図柄周囲を切れ目と支辺で囲んだ面を、支辺を軸に指で折り曲げて起こすことの出来る状態のことをいう。
【００１４】
また、「折曲げ式」の箱とは、フラップを折り曲げることにより開口部を覆うふた部が形成される箱のことである。
このふた部は、フラップ１枚で構成されるものに限らず、２枚以上で構成されるもの等が含まれる。
【００１５】
さらに、「分離式」とは、ふた部と本体部分とが別々になっている箱のことである。
【実施例１】
【００１６】
以下、図面を参照して本考案に係る収納箱の１実施例を説明する。実施例１は、本考案に係るふた付きの収納箱であり、開口部が天面にあり、前記ふた部は折り曲げ式となっている。
【００１７】
まず、図１の収納箱１から中身２を取り出した図２において、ティッシュボックスカバーとして使用する収納箱１の底面１０上に形成されるポップアップ面４をひよこの図柄にし、ティッシュボックスのティッシュペーパー取り出し口８に重なるべく図４のように配置する。
【００１８】
このとき、ポップアップ面４となる図柄周囲を切れ目６と支辺７とで囲み、前記切れ目線上に少なくとも１ヶ所以上繋ぎ目５を設ける。
【００１９】
そして、図３のように中身２を取り出した後に収納箱１の底面１０を天面にした状態で、前記底面に設けたポップアップ面４の繋ぎ目５を切り外し、支辺７を軸に外側に折り曲げてティッシュボックス３を収納し、収納箱をティッシュボックスカバーとして使用する。
【００２０】
ここで、ティッシュボックスの高さが収納箱の高さより高い為、ティッシュボックスが収納箱内に収まりきれず、はみ出す場合は、ふた部１１をミシン目１３に沿って切り離し、収納箱を被せ、ティッシュボックスの下部分が出た状態で図５のように使用する。
【００２１】
ちなみに、ティッシュボックスの高さが収納箱の高さより低い場合、例えば収納箱の内面に目盛り線を複数設け、この目盛り線に沿って切り離せるよう工夫しても構わない。
【００２２】
なお、本実施例では面上に施したポップアップ面の全周囲の内、任意の寸法を支辺７として利用しているが、底面と側面との隣接する連接辺の一部を支辺としても構わない。
【００２３】
また、正方形タイプのティッシュボックスに対応した収納箱を示した図５の第２ポップアップ面９のように、ポップアップ面は、様々な大きさ、形状にデザインでき、ティッシュボックスのティッシュペーパー取り出し口部分として設ける以外にも収納箱の側面等に複数作成しても構わない。
【００２４】
そして、収納箱の各面に施す印刷は、収納箱としての表面の模様以外にもイラスト、文字、図形等をポップアップ時に利用できるよう、ポップアップ面の表面、裏面問わず、施すことができる。
【００２５】
なお、本考案の収納箱の材質は、加工し易く折り曲げやすい厚紙又は段ボール紙或は再生紙が望ましいが特に限定しない。
【実施例２】
【００２６】
次に説明する実施例２は、本考案に係るふた付きの収納箱であり、開口部が側面にあり、前記ふた部は、２枚のフラップ１１を折り曲げてなる観音開き式である。
【００２７】
ここで、側面とは、図６で述べると、箱の長さ１５と高さ１７とで囲まれた面である「長さ面」とその対面の二面または、箱の巾１６と高さ１７とで囲まれた面である「巾面」とその対面の二面を指し、本実施例の開口部は、「巾面」の２面の内、どちらか一方の「巾面」となっている。
【００２８】
この実施例において側面開口部からティッシュボックスを出し入れする場合、例えば、ティッシュボックスの高さが側面開口部の高さより高ければ、ふた部を切り離しても収納できないため、予めティッシュボックスが収納できる長さ、巾、高さの寸法にしておく。
【００２９】
ただし、開口部が対面にもある収納箱の場合、両方のふた部をミシン目に沿って切り離すことによって、収納箱の長さが、ティッシュボックスの長さより短くても使用できる。
【００３０】
そして、本実施例の収納箱において、ティッシュボックスカバーとして使用する収納箱のティッシュペーパー取り出し口と重なるよう配置したポップアップ面は、ティッシュボックスが収納される構造上、天面または底面に設置するのが望ましく、前記ポップアップ面の図柄および配置の仕方は実施例１と同様である。
【００３１】
また、ポップアップ面となる図柄周囲の囲み方および繋ぎ目の設け方も実施例１と同様である。
【００３２】
使用方法は、中身を取り出した後に収納箱のティッシュペーパー取り出し口と重なるよう配置したポップアップ面を上にして、前記ポップアップ面の繋ぎ目を切り外し、支辺を軸に外側に折り曲げてティッシュボックスを収納し、収納箱をティッシュボックスカバーとして使用する。
【００３３】
このように、本実施例では、ふた部は、２枚のフラップ１１を折り曲げてなる観音開き式であるが、４枚のフラップを折り曲げて構成された収納箱を図示すると図７の様になり、ふた部は、用途に応じて構成して構わない。
【実施例３】
【００３４】
続いて説明する実施例３は、本考案に係るふた付きの収納箱であり、開口部が天面にあり、前記ふた部は、分離式となっている。このため、分離式収納箱は、ふた部と本体部分とに分けられる。
【００３５】
この場合、図８において、ティッシュボックスカバーとして使用する収納箱のティッシュペーパー取り出し口と重なるよう配置したポップアップ面４は、ティッシュボックスが収納される構造上、ふた部１１に設置または、本体部分１８の底面１０に設置するのが望ましく、前記ポップアップ面の図柄および配置の仕方は実施例１と同様である。
【００３６】
また、ポップアップ面となる図柄周囲の囲み方および繋ぎ目の設け方も実施例１と同様である。
【００３７】
なお、ティッシュボックスの高さが収納箱の高さより高い為、ティッシュボックスが収納箱内に収まりきれず、はみ出す場合は、ティッシュペーパー取り出し口と重なるよう配置したポップアップ面を有するふた部１１または本体部分１８をティッシュボックスに被せて使用できる。
【実施例４】
【００３８】
最後に説明する実施例４は、本考案に係るふた付きの収納箱であり、ふた部と本体部分とに分かれた分離式である。
そして、本体部分は、筒状のふた部の開口部より内側にスライドされて収納される。
【００３９】
この場合、図９において、ティッシュボックスカバーとして使用する収納箱のティッシュペーパー取り出し口と重なるよう配置したポップアップ面４は、ふた部１１の天面または底面に設置または、本体部分１８の底面に設置するのが望ましく、前記ポップアップ面の図柄および配置の仕方は実施例１と同様である。
【００４０】
そして、ポップアップ面となる図柄周囲の囲み方および繋ぎ目の設け方も実施例１と同様である。
【００４１】
ここで、本体部分１８のみを利用してティッシュボックスを出し入れする場合、ティッシュボックスの高さが本体部分の高さより高くても、ティッシュボックスに被せて使用可能である。
【００４２】
また、筒状のふた部１１のみを利用してティッシュボックスを出し入れする場合、実施例であれば、巾面の巾と高さの寸法をティッシュボックスの巾と高さより若干大きくすれば、ティッシュボックスカバーとして使用可能である。
【００４３】
筒状のふた部の開口部が二ヶ所あり、開口部のどちらからもスライドして収納できるものであれば、収納箱の長さが、ティッシュボックスの長さより短くても使用できる。
【００４４】
さらに、ティッシュボックスを収納した本体部分１８を、筒状のふた部１１の開口部より内側にスライドして収納する場合、例えば、ティッシュボックスの高さが筒状のふた部１１の開口部の高さより高ければ、収納できないため、予めティッシュボックスが収納できる長さ、巾、高さの寸法にしておく。
【００４５】
ところで、これまでにのべた実施例の収納箱は、長方形または正方形のティッシュボックス１個が収まる大きさであるが、ストック収納可能な収納箱として２個以上収納可能に、各寸法を調整した収納箱を作成しても構わない。
【００４６】
以上説明したように、好ましい実施例を挙げて本考案を説明したが、本考案はその実施例に限定されるものではなく、本考案の要旨の範囲内で種々に改変できる。
【図面の簡単な説明】
【００４７】
【図１】本考案に係る収納箱に中身が入っている状態の図である。
【図２】本考案に係る収納箱から中身を取り出した図である。
【図３】本考案に係る収納箱がティッシュボックスカバーに変わるまでの図である。
【図４】本考案に係る収納箱の底面にポップアップ面が形成された図である。
【図５】本考案に収納箱の平面が正方形タイプのティッシュボックスに対応した収納箱の一例である。
【図６】本考案に係る収納箱において、開口部が側面にあり、ふた部が２枚のフラップを折り曲げて構成される折り曲げ式収納箱の一例である。
【図７】本考案に係る収納箱において、ふた部が４枚のフラップを折り曲げて構成される折り曲げ式収納箱の一例である。
【図８】本考案に係る収納箱の分離式収納箱の一例である。
【図９】本考案に係る収納箱の分離式収納箱の一例である。
【符号の説明】
【００４８】
１  収納箱
２  中身
３  ティッシュボックス
４  ポップアップ面
５  繋ぎ目
６  切れ目
７  支辺
８  ティッシュペーパー取り出し口
９  第２ポップアップ面
１０  底面
１１  ふた部
１２  差し込み面
１３  ミシン目
１４  折り込み面
１５  長さ
１６  巾
１７  高さ
１８  本体部分
【図１】
0003161284.tif 000003
【図２】
0003161284.tif 000004
【図３】
0003161284.tif 000005
【図４】
0003161284.tif 000006
【図５】
0003161284.tif 000007
【図６】
0003161284.tif 000008
【図７】
0003161284.tif 000009
【図８】
0003161284.tif 000010
【図９】
0003161284.tif 000011
【手続補正書】
【提出日】平成22年5月21日(2010.5.21)
【手続補正１】
【補正対象書類名】実用新案登録請求の範囲
【補正対象項目名】請求項３
【補正方法】変更
【補正の内容】
【請求項３】
前記折曲げ式のふた部が切り離せるよう、ふた部と、ふた部が付いている側面とが交わってできる線状部分にミシン目が設けられていることを特徴とする請求項１乃至請求項２のいずれか１項に記載の収納箱。